(57)【要約】【課題】住宅建築工事現場で、屋根や壁の施工前に施工した床面に被せて雨水の侵入や汚れを防止する養生シートであって、滑り止め効果があり、かつ引き剥しが容易で構造簡単な養生シートを提供すること。【解決手段】裏面に粘着剤層（３）が形成された合成樹脂シートからなる養生シートであって、前記裏面には、粘着剤層の形成されていない所定面積の空白部分（５）が全面にわたって所定間隔で配置され、該空白部分を囲むように粘着剤層が形成されている養生シート。【選択図】図１
2008169656.tif 000002
【特許請求の範囲】
【請求項１】
裏面に粘着剤層が形成された合成樹脂シートからなる養生シートであって、前記裏面には、粘着剤層の形成されていない所定面積の空白部分が全面にわたって所定間隔で配置され、該空白部分を囲むように粘着剤層が形成されていることを特徴とする養生シート。
【請求項２】
合成樹脂シートの厚みが５０〜１５０ミクロンである請求項１に記載の養生シート。
【請求項３】
粘着剤層の形成されていない空白部分が、一辺の長さが数十ｍｍの角型である請求項１に記載の養生シート。
【発明の詳細な説明】
【技術分野】
【０００１】
本発明は、住宅建築工事現場等において、屋根や壁の施工前に施工した床面に被せて、雨水の侵入や汚れを防止するために使用される養生シートに関するものである。
【背景技術】
【０００２】
屋根の施工前に床面を施工する建築工事、例えばツー・バイ・フォー工法による住宅建築工事では、施工した床面が屋根で覆われていないため、雨水や塵埃にさらされて汚れや変色が生じるという問題があった。また、作業者が土足で床面を踏むことによって、傷や汚れが生じることも多かった。このような問題を防ぐため、従来は、施工した床面にプラスチックシート（フィルム）やダンボールを被せて粘着テープで固定し、保護していた。しかしながら、この方法では、保護用のシートやダンボールがズレやすく、雨水の侵入を防ぐには不十分であった。さらに、プラスチックシートは、表面が平滑であるから滑りやすく、作業者が転倒する危険もあった。
【０００３】
このような問題点を解決するものとして、下記特許文献１、２に示すようなものが公知であり、さらに本願発明者は、下記特許文献３に示すような滑りにくい養生シートを提案している。
【０００４】
【特許文献１】実用新案登録公報第２５９９８１１号
【特許文献２】実用新案登録公報第２５９９５０２号
【特許文献３】特開２００６−２４１８６８号公報
【０００５】
上記特許文献１に記載の養生シートは、合成樹脂シートの表面に多数の凹凸が形成され、裏面全面に、シート剥離時に床パネル面に残らないアクリル系等の粘着剤層が形成されたものである。表面の凹凸としては、点状、縞状、格子状のほか、ランダムな凹凸形状が挙げられている。また、上記特許文献２に記載のものは、プラスチックフィルム等の基材の一方の面に粘着剤層が形成され、該基材の非粘着剤面自体が凹凸に形成されてなり、基材の非粘着面の中心線平均粗さＲａが１〜３５ミクロンであるものである。上記特許文献１、２のほかにも、合成樹脂シートの表面にエンボス加工で凹凸をつけたものが提案されている。
【０００６】
これら特許文献に記載されているものは、表面に凹凸が形成されているため、滑りにくいという利点がある。しかしながら、養生シート同士を継ぎ合わせる場合に、継ぎ目に隙間ができ、雨水等が裏面側に侵入するおそれがある。このため、上記特許文献１には、施工時にシートの継ぎ目をオーバーラップさせて使用する場合、裏面の粘着剤がシート表面に接着しやすくするため、合成樹脂シートの表裏に予めコロナ処理等の処理を施して、接着性を向上させたものが好適である旨記載されている（同文献の段落［００１３］参照）。
【発明の開示】
【発明が解決しようとする課題】
【０００７】
上記従来の養生シートは、シート同士の継ぎ目を接着することによって雨水等の侵入を防ぐものであるから、表面の凹凸形状によって隙間の発生が避けられないという問題点があった。また、この種のシートは、ロール状に巻いて現場に搬入し、現場で順に引き出して使用するのが便利であるが、裏面の全面に粘着剤が塗布されていると、シートをロール状に巻いた時に表裏が引っ付いて剥れにくくなるという問題点もある。
【０００８】
そこで本発明は、表面に凹凸を形成しなくても滑りにくく、継ぎ目からの雨水等の侵入が生じにくく、しかもロール状に巻いても比較的剥しやすい実用性に富んだ養生シートを提供することを課題としている。
【課題を解決するための手段】
【０００９】
本発明は、上記課題を解決するため、次のような構成を採用した。すなわち、本発明に係る養生シートは、裏面に粘着剤層が形成された合成樹脂シートからなる養生シートであって、前記裏面には、粘着剤層の形成されていない所定面積の空白部分が全面にわたって所定間隔で配置され、該空白部分を囲むように粘着剤層が形成されていることを特徴ととしている。合成樹脂シートの厚みは５０〜１５０ミクロンであるのが好ましい。
【発明の効果】
【００１０】
本発明に係る養生シートは、床面に接着固定するための粘着剤が全面に塗布されはおらず、粘着剤層が形成されていない空白部分が適当な間隔で分散させて設けられているので、養生シート自体は、この空白部分の回りの粘着剤層によって床面に固定され、空白部分はフリーな状態となっている。養生シート全面が床面に固定されていると、養生シート表面が平滑な状態で固定されていることになるので、この上を踏んだ作業者が滑りやすい。しかしながら、本発明の養生シートは、粘着剤が全面に塗布されておらず、粘着剤のついていない空白部分が全面的に分散させて設けられており、この空白部分は、養生シートを床面等に固定した状態でも伸縮可能であるので、作業者がこの養生シートを踏んだとき、空白部分が靴に引っ掛かった状態で伸縮することになる。このため、シートの裏面全体が床面にしっかりと固定されている場合（シート表面全体が平滑な状態で固定されている）にくらべて滑りにくいのである。
【００１１】
この種の養生シートは、長尺のものをロール状に巻いて現場に運び込んだり、保管したりするのが便利であるが、本発明の養生シートは、裏面全体に粘着剤が塗布されているわけではなく、適度の大きさの空白部分が全体的に分散して形成されているので、ロール状に巻いても、重なり合った表面と裏面とが強固に粘着固定されることはなく、使用時に引き剥しやすい。また、粘着剤の量も少なくてすむので経済的である。さらに、養生シート同士を継ぎ合わす場合に、表面が平滑であるから、隙間ができないように継ぎ合わすことができる。
【発明を実施するための最良の形態】
【００１２】
以下、本発明の実施形態について具体的に説明する。図１は、本発明に係る養生シートの一例を表すもので、この養生シート１は、合成樹脂製のシート本体２の裏面に粘着剤を塗布した粘着剤層３が形成されている。シート本体２の材質としては、柔軟で防水性のあるもの、例えばポリエチレン、ポリ塩化ビニール、ポリプロピレン等が好ましい。シート本体２の厚みは５０〜１５０ミクロンとするのが好ましいが、これに限定されるものではない。この厚みが大き過ぎるのは不経済であり、取扱も不便になる傾向がある。逆に小さ過ぎると強度が不足して破れやすくなるので好ましくない。
【００１３】
前記粘着剤層３を形成する粘着剤としては、養生シート１を位置ズレしない程度に床面に固定できるもので、しかも施工終了後に容易に引き剥すことができるもの、例えば天然ゴム、スチレン−ブタジエンゴム、イソプレンゴム等のゴム系粘着剤や、オレフィン系粘着剤、２−エチルヘキシルアクリレート、ブチルアクリレート等を用いた共重合ポリマー等のアクリル系粘着剤を使用することができる。なかでは、アクリル系粘着剤を使用するのが好ましい。粘着剤層３の厚みは、例えば１５〜２５ミクロン程度とするのが好ましいが、これに限定されるものではなく、要は所望の粘着力が得られ、しかも引き剥したときに床面等に粘着剤が残りにくいものを使用すればよい。
【００１４】
粘着剤層３が形成されている裏面には、粘着剤層が形成されていない空白部分５が全面的に分散させて形成されている。このため、粘着剤の塗布されていない空白部分５が、裏面全面にわたって規則正しく（アトランダムでもよい）分散させて形成されている。空白部分５の周囲には粘着剤層３が形成されていて、空白部分５が粘着剤層３に囲まれた島状となっている。空白部分５と空白部分５との間隔ｄは数十ｍｍないし百数十ｍｍとするのが好ましい。具体的には、空白部分５が角型の場合は一辺の長さの半分程度とするのが好ましく、空白部分の形状が円形の場合は、その半径程度とするのが好ましい。この間隔ｄ、すなわち粘着剤層３の幅が小さ過ぎると、床面に対する固定強度が小さ過ぎて、養生シート１を床面にしっかりと固定することができにくくなる。逆にこの間隔ｄが広過ぎると、この部分を踏んだ靴が滑りやすくなる。
【００１５】
図１の実施形態では、空白部分５は角型（図示例では正四角形であるが、長方形でもよい）に形成されている。上記角型の空白部分５の大きさは、一辺の長さが数十ｍｍとするのが好ましく、具体的には、四角形の場合は、３０ｘ３０ｍｍから７０ｘ７０ｍｍ程度とするのが好ましい。この空白部分５が広過ぎても狭過ぎも所望の滑り防止効果が得られにくくなる。また、広過ぎると、破れやすくなるという問題点もある。なお、空白部分５の形状は、上記のような角型に限らず、円形、楕円形、菱形、台形、六角形その他の多角形等種々の形状とすることができる。この空白部分５の形状は、表面側から見たときに美観のあるものとするのがより好ましい。
【００１６】
養生シート１の裏面には、粘着剤層３の形成されていない空白部分５が全面的に分散させて形成されているので、通常のローラによる粘着剤の塗布を行うことができないが、例えば印刷法で粘着剤層３と空白部分５を形成することができる。したがって、製造方法はそれほど困難ではなく、製造コストも低くてすむ。
【００１７】
養生シート１は長尺のベルト状として形成しておき、ロール状に巻いて取扱するのが便利である。養生シート１の幅は、９００〜１２００ｍｍ程度としておくのが取扱上好ましい。この養生シート１を床面上に敷くときは、ロールから引き出して所定寸法で切断して使用するが、裏面には粘着剤層３の形成されていない空白部５が多数形成されているので、ロールからの引き出しは容易である。なお、シート自体の幅が狭いが、複数枚を並べて継ぎ合わせて使用すればよい。この場合、隣接するシート同士の縁部は、数十ｍｍの幅で互いに重ね合わせておく。本発明の養生シート１は、表面が平らであるから、縁部を重ねあせてもその部分に隙間ができず、雨水等が継ぎ目から裏まで侵入するおそれはない。
【００１８】
この養生シート１は、例えば２ｘ４（ツー・バイ・フォー）工法等において、床パネル施工後に当該床パネル状に被せて床面を保護するために使用される。この工法では、屋根を施工する前に床パネルの施工を行うので、施工後の床パネルが雨曝しとなり、しかも作業者がその上を歩くので、雨水や泥等で汚されるおそれがつよい。この場合、施工後の床パネル全面をこの養生シート１で覆っておけば、その上を土足で歩いても床面が汚されたり、傷つけられたりするおそれはない。しかも、この養生シート１は、裏面の粘着剤層３によって床面に粘着固定されるので、その上を歩いたり、風が吹いたりしても位置ズレして床面が露出するおそれはない。
【００１９】
従来の平滑な表面を有する養生シートを敷きつめた床面は、その上を歩くと滑って転倒するおそれがあったが、この養生シート１は、表面は平滑でも、裏面に粘着剤層３が形成されていない島状の空白部分５が、適度の間隔をおいて全面的に多数形成されているので、スリップしかけたときに、当該空白部分５が伸縮（スリップ方向に引っ張られる）して、履物の底とともに僅かな距離だけ位置ズレし、そこで停止する。このため、作業者が大きくスリップして転倒するようなことが防止される。なお、シート本体２として透明ないし半透明なシートを使用すれば、空白部分５が表面側にもはっきりと現れるので、一種の模様としての効果もあり、美観上も好ましいものである。
【００２０】
屋根や壁の施工が終了すれば、床面に被せておいた養生シート１を引き剥す。この養生シート１の粘着剤層３を形成する粘着剤としては、床面に粘着剤が残りにくいものを使用することにより、床面を粘着剤で汚しにくいものとすることができる。また、裏面全面に粘着剤層３が形成されておらず、粘着剤層の形成されていない島状の空間部５が全面的に分散させて形成されているので、引き剥しも容易である。
【００２１】
以上に説明したように、本発明に係る養生シートは、床面等に固定するための粘着剤層３が形成される裏面に、粘着剤層３の形成されていない適当な面積の空白部分を多数分散させて形成しておくだけで、所望の効果、すなわち、床面等に対する固定力が得られ、しかも引き剥しが容易で、スリップしにくいという効果を得ることができるものである。
【産業上の利用可能性】
【００２２】
本発明に係る養生シートは、合成樹脂シートと粘着剤を用いて工業生産的に製造することができ、建築工事等の分野で好適に使用することができるものである。なお、この養生シートを建築工事における養生シート以外の用途に使用できることは言うまでもない。
【図面の簡単な説明】
【００２３】
【図１】養生シートの裏面を表す平面図である。
【図２】その模式的断面図である。
【符号の説明】
【００２４】
１        養生シート
２        シート本体
３        粘着剤層
５        空白部分
【図１】
2008169656.tif 000003
【図２】
2008169656.tif 000004